(57)【要約】      （修正有）【課題】排水管の露出部を少なくして橋脚の外観を向上させることができる橋脚用排水管の取付構造を提供する。【解決手段】橋脚に沿って排水管を取り付ける橋脚用排水管の取付構造であって、角筒状に形成された橋脚用排水管５を取り付ける箇所に取付金具本体１３を有する橋脚用金具１１を固定し、前記橋脚用排水管５の裏面に排水管用金具２０を固定し、この排水管用金具２０と前記取付金具本体１３とを互いに係合して前記橋脚用排水管５を前記橋脚に取り付けた。【選択図】図２
2008169690.tif 000002
【特許請求の範囲】
【請求項１】
橋脚に沿って排水管を取り付ける橋脚用排水管の取付構造であって、前記橋脚用排水管は角筒状に形成され、前記橋脚の前記橋脚用排水管を取り付ける箇所に橋脚用金具を固定し、前記橋脚用排水管の裏面に排水管用金具を固定し、この排水管用金具と橋脚用金具とを互いに係合して前記橋脚用排水管を前記橋脚に取り付けたことを特徴とする橋脚用排水管の取付構造。
【発明の詳細な説明】
【技術分野】
【０００１】
本発明は、橋脚に沿って排水管を取り付ける橋脚用排水管の取付構造に関する。  
【背景技術】
【０００２】
従来、高速道路等の橋梁上面の雨水等を下方に排水するため、橋梁の裏側より下方に向かうとともに、橋脚に沿って排水管が設けられている。
このうち、橋脚に沿って配置される橋脚用排水管は、従来では、内部が中空とされた塩化ビニル製の円筒排水管から形成されている。この排水管を上下に複数直列配置して継ぎ合わせ、これらを橋脚に固定している。
橋脚に排水管を固定するにあたり、排水管の外周を係止する円弧状の係止部と橋脚にボルト止めするための取付片部とが一体に形成された取付金具が利用されている。
【０００３】
このような排水管は円筒形に形成されているため、通常、角柱状に形成される橋脚とバランスが悪く、この橋脚全体の外観が損なわれる。
そのため、排水管を角柱状に形成し、この排水管の両側部から取付金具を橋脚表面に沿って延出し、この取付金具をボルトで橋脚に固定することが考えられる。この場合、ボルトが露出すると外観が不良となるため、ボルトを覆うカバーを排水管に取り付けることが好ましい。
【発明の開示】
【発明が解決しようとする課題】
【０００４】
排水管を角柱状にし、排水管に設けられた取付金具をボルトで橋脚に固定する構造では、円柱状の排水管を利用した場合に比べて外観が改善されているものの、排水管自体が橋脚から突出形成されているため、未だ外観の改善が十分とは言えない。
【０００５】
本発明の目的は、排水管の露出部を少なくして橋脚の外観を向上させることができる橋脚用排水管の取付構造を提供することにある。
【課題を解決するための手段】
【０００６】
本発明の橋脚用排水管の取付構造は、橋脚に沿って排水管を取り付ける橋脚用排水管の取付構造であって、前記橋脚用排水管は角筒状に形成され、前記橋脚の前記橋脚用排水管を取り付ける箇所に橋脚用金具を固定し、前記橋脚用排水管の裏面に排水管用金具を固定し、この排水管用金具と橋脚用金具とを互いに係合して前記橋脚用排水管を前記橋脚に取り付けたことを特徴とする。
【０００７】
橋脚用排水管と橋脚とを係合するための金具は排水管の裏面に設けられているので、橋脚用排水管に隠れて正面から見えない。しかも、排水管自体が角柱状とされるので、橋脚の正面と排水管の正面とが同じ面形状とされるため、外観がより向上する。
本件関連発明の橋脚用排水管の取付構造は、橋脚に沿って排水管を取り付ける橋脚用排水管の取付構造であって、前記橋脚の前記橋脚用排水管を取り付ける箇所に凹みを形成し、この凹みの底部に橋脚用金具を固定し、前記橋脚用排水管の裏面に排水管用金具を固定し、この排水管用金具と橋脚用金具とを互いに係合して前記橋脚用排水管を前記橋脚に取り付け、前記橋脚用排水管が前記橋脚に取り付けられた状態で前記橋脚の正面から突出しないことを特徴とする。
【０００８】
この構成では、橋脚用排水管が橋脚正面から突出することがないので、配水管の露出部分が少なくなり、橋脚と橋脚用排水管とが外観上、一体となる。しかも、橋脚用排水管と橋脚とを係合するための金具は排水管の裏面に設けられているので、橋脚用排水管に隠れて正面から見えない。
従って、橋脚用排水管は橋脚の凹部にすっきりと収まった状態となり、外観が向上する。つまり、橋脚の景観が向上する。
【０００９】
ここで、本発明では、前記橋脚用排水管は角筒状に形成されていることが好ましい。
この構成では、排水管自体が角柱状とされるので、橋脚の正面と排水管の正面とが同じ平面形状とされるため、外観がより向上する。
【００１０】
さらに、前記橋脚用金具は前記橋脚への取付片部及びこの取付片部と一体形成され前記橋脚との間に所定のスペースが設けられるコ字状本体を備え、前記排水管用金具は前記橋脚用排水管の裏面に固定された取付片部及びこの取付片部から一体形成され前記スペースに差し込み可能な係合片部を備えた構成が好ましい。
この構成では、橋脚用排水管に金具を予め固定しておき、この金具を、予め橋脚に固定された橋脚用金具のスペースに差し込むだけで橋脚用排水管を橋脚に取り付けることができる。
そのため、橋脚用排水管の取付作業が容易となる
【発明を実施するための最良の形態】
【００１１】
以下、本発明の実施形態を図面に基づいて説明する。
図１から図３には、本発明の第１実施形態が示されている。
図１は、高速道路等の１つの橋梁１の正面図である。橋梁１の橋脚２の上面は高速道路の路面３となっている。この路面３の両側には路肩３Ｓに垂直側壁４が設けられている。橋脚２の側面には複数のＦＲＰ製の角形排水管５が上下に複数並んで配置されている。
この橋梁１の路面３に降った雨及び雪が溶けた水が路肩３Ｓの一方に集まり、水は、ここから橋脚２の一方の壁面に沿って設けられた橋脚用の排水管５に沿って下方に流れ、排水管５の排出口６を通って橋脚２の下に設けられた溝７に流れるように形成されている。
【００１２】
図２及び図３には排水管の取付構造の詳細な構成が示されている。
これらの図２において、橋脚２の橋脚用排水管５を取り付ける箇所に幅寸法Ｔ及び深さ寸法Ｄの矩形状の凹み１０が上下に延びて形成されている。
この凹み１０の底部には橋脚用金具１１が固定されている。この橋脚用金具１１は、アンカー１２と、このアンカー１２に係止される取付金具本体１３と、この取付金具本体１３をアンカー１２に取り付けるボルト１４とからなる。
このアンカー１２は、凹み１０の壁面に打ち込むと底部１２Ｂが拡張してこのアンカー１２がしっかりと凹み１０の壁面に固定されるようになっている。
【００１３】
取付金具本体１３は、橋脚２へ取り付ける取付片部１３Ａ及び取付片部１３Ａと一体形成され橋脚２との間に所定のスペースｄが設けられるコ字状本体である。一方の取付片部１３Ａにはボルト１４が挿通される挿通孔１５が形成され、他方の取付片部１３Ａにはボルト１４が挿通される挿通孔１６が形成されている。
この取付金具１３を橋脚２の凹み１０の壁面に固定する場合、まず、アンカー１２を凹み１０の壁面に固定し、橋脚用金具１１の挿通孔１５，１６をアンカー１２の打ち込まれた場所１２Ｃ、１２Ｄと整列させ、ボルト１４を挿通孔１５，１６にねじ込むことによって、橋脚用金具１１を凹み１０の壁面に固定する。
【００１４】
橋脚用排水管５は、断面長方形（例えば、200mm×100mm）の角パイプであり、その裏面には排水管用金具２０が固定されている。この排水管用金具２０は、排水管５の裏面に固定される取付片部２１と、この取付片部２１と一体形成され橋脚用金具１１と係合する係止片部２２と有する。係止片部２１は、取付金具本体１３のスペースｄに遊挿可能である。
橋脚用排水管５は複数個上下に連結されているが、上下に隣接する排水管５の両端には、内側に接続用ソケット３０が取り付けられており、このソケット３０の先端には漏水防止を目的としてゴムパッキン（図示せず）が設けられている。
橋脚用排水管５は、その材料として、接続性、強度の側面から見てＦＲＰ（ガラス繊維強化プラスティック）が望ましい。また、排水管５は、断面正方形の角筒状に形成されている。
【００１５】
排水管用金具２０と橋脚用金具１１との取付けにあたっては、この排水管用金具２０と橋脚用金具１１の係止部２２とを互いに係合して橋脚用排水管５を橋脚２に取り付ける。橋脚用排水管５が橋脚１に取り付けられた状態で橋脚の正面から突出しない。取付後の状態を図３に示す。つまり、橋脚用排水管５が橋脚２に取り付けられた状態では、排水管５の凹み１０の底部からの寸法は凹み１０の深さ寸法Ｄより短く、排水管５の幅寸法は凹み１０の幅寸法Ｔより短い。
【００１６】
このような本実施形態によれば、以下のような効果がある。
（１）橋脚用排水管５が橋脚２の正面から突出することがなく、しかも、橋脚用排水管５と橋脚２とを係合するための金具１１，２０は、排水管５の裏面に設けられているので、排水管５が橋脚２から露出する部分が少なくなり、橋脚用排水管５は橋脚２の凹部にすっきりと収まった状態となって外観が向上する。
（２）橋脚用排水管５が角筒状に形成されているので、橋脚用排水管５自体の外面が橋脚の正面の外面とが類似した外面形状に統一されるために、さらに外観が向上する。
【００１７】
（３）橋脚用排水管５と橋脚２との係合部が排水管５の背後に位置するために風雨に直接さらされることがないため係合部に特別のカバーを設ける必要がない。
（４）排水管５をＦＲＰ（ガラス繊維強化プラスティック）製としたから、ＦＲＰの線膨張率は橋脚２を構成するコンクリートと略同等であるため、両者の伸縮に関しては不都合がない。
【００１８】
（５）橋脚用金具１１は橋脚２への取付片部１３Ａ及びこの取付片部１３Ａと一体形成され橋脚２との間に所定のスペースｄが設けられるコ字状本体を備えた構成であり、かつ、排水管用金具２０は橋脚用排水管５の裏面に固定された取付片部２１及びこの取付片部２１から一体形成されスペースｄに差し込み可能な係合片部２２を備えた構成であるため、橋脚用排水管５に金具を予め固定しておき、この金具を、予め橋脚２に固定された取付金具本体１３のスペースｄに差し込むだけで橋脚用排水管５を橋脚２に簡単に取り付けることができる。
【００１９】
（６）排水管用金具２０の係合片部２２は、橋脚用金具１３のスペースｄにゆるやかに差し込み可能に、つまり、遊挿可能にされているため、排水管５と金具との間に温度変化があって一方が膨張しても、このあそび部分で膨張を吸収することができる。
【００２０】
次に、図４を参照して本発明の第２実施形態を説明する。第２実施形態は排水管５の橋脚２への取付構造が第１実施形態と異なるもので、他の構成は第１実施形態と同じである。なお、第１実施形態と同じ部品には同じ参照符号を使用して重複した説明を省略する。
橋脚２の凹み１０の底部に橋脚用金具２９の橋脚用取付片部３０が固定される。この橋脚用取付片部３０には橋脚用金具２９を凹み１０の壁面に固定するボルトが挿通する挿通孔１３，１５が設けられている。
【００２１】
橋脚用金具２９は、取付片部３０と一体形成され橋脚２との間に所定のスペースが設けられるコ字状部３１を備えている。
一方、排水管用金具３２は橋脚用排水管５の裏面に固定された取付片部３２Ａ及びこの取付片部３２Ａから一体形成された係合片部３２Ｂを備えている。この係合片部３２Ｂはコ字状部３１に遊挿されている。
この橋脚用取付片部３０に排水管５を取り付けるには、まず、橋脚用取付片部３０の挿通孔１５，１６をボルト穴に整列させ、ボルト１４を挿通孔１５，１６にねじ込んで、橋脚用金具２９を凹み１０の壁面に固定する。
【００２２】
その後、排水管５に予め形成されている排水管用金具２０の係合片部３２Ｂを橋脚用金具２９のスペースに差し込むことによって橋脚用排水管５を橋脚に容易に取り付けることができる。
第２実施形態では、橋脚用金具２９と排水管用金具３２とは同一断面形状が上下に形成されているため、排水管５を金具２９，３２で支持できず、上部の排水管５を下部の排水管５で支持することになる。ただし、排水管用金具３２の上端縁に橋脚用金具２９を係止する係止部を設けることで、第１実施形態と同様に金具で排水管５を支持することができる。
【００２３】
このような第２実施形態によれば、第１実施形態の（１）から（４）（６）と同様の作用効果を奏することができる他に、次の作用効果を奏することができる。
つまり、橋脚用金具２９は、排水管５の荷重を直接支持しないために、橋脚用金具２９の取付け強度を増大するための特別の固定具を用いる必要がない。
【００２４】
なお、本発明は前記実施形態に限定されるものではなく、本発明の目的を達成できる他の構成等を含み、以下に示すような変形なども本発明に含まれる。
例えば、前記実施形態では、排水管５と橋脚２の取付場所及びその個数には特に言及しなかったが、排水管５の全体の長さ、及び個々の排水管５の長さに応じて、取付場所とその数を適宜選択することができる。
また、橋脚２の凹み１０の形状と、排水管５の形状は断面がほぼ矩形であるように図示したが、排水管５が橋脚２に取り付けられた状態で、橋脚の正面から突出しないかぎり、凹みの内側において、排水管５を設置する場所の種々の条件に対応して正方形、台形、多角形等の種々の形状を選択することができる。
【産業上の利用可能性】
【００２５】
本発明は、高速道路等の橋梁に沿って排水管を取り付ける橋脚用排水管として利用できる。
【図面の簡単な説明】
【００２６】
【図１】本発明の第１実施形態における橋脚用排水管の取付構造を示す側面図。
【図２】第１実施形態における橋脚用排水管の取付構造を示す分解斜視図。
【図３】第１実施形態における橋脚用排水管の取付構造を示す平面図。
【図４】本発明の第２実施形態における橋脚用排水管の取付構造を示す平面図。
【符号の説明】
【００２７】
２          橋脚
５          橋脚用排水管
１１，２９  橋脚用金具
１４，１５  ボルト
２０，３２  排水管用金具
【図１】
2008169690.tif 000003
【図２】
2008169690.tif 000004
【図３】
2008169690.tif 000005
【図４】
2008169690.tif 000006